(57)【要約】  本発明のある実施形態は、少なくとも１つのＡＤ（アドバンスデバイス）を少なくとも１つのＳＤ（シンプルデバイス）のプロキシとして用いて少なくとも１つのＳＤの通信を制御することにより、ＡＤとして動作する少なくとも１つのデバイスと、ＳＤとして動作する少なくとも１つのデバイスとを、ＷＰＡＮ（無線パーソナルエリアネットワーク）で通信および共存させる段階を備える方法を提供する。【選択図】図１
2011509024.tif 000002
【特許請求の範囲】
【請求項１】
少なくとも１つのＡＤ（アドバンスデバイス）を少なくとも１つのＳＤ（シンプルデバイス）のプロキシとして用いて前記少なくとも１つのＳＤの通信を制御することにより、前記少なくとも１つのＡＤと、前記少なくとも１つのＳＤとを、ＷＰＡＮ（無線パーソナルエリアネットワーク）で通信および共存させる段階を備える方法。
【請求項２】
前記少なくとも１つのＡＤは、インバンドＭＡＣ機能を実行し、前記ＡＤおよび前記ＳＤは同じ周波数で動作する請求項１に記載の方法。
【請求項３】
前記インバンドＭＡＣ機能は、デバイス検知および予約を含む請求項２に記載の方法。
【請求項４】
前記少なくとも１つのＳＤは、ＡＤが存在することを必要とし、前記ＡＤは、前記少なくとも１つのＳＤが前記少なくとも１つのＡＤと通信するためのＷＰＡＮ、ビーコン、および予約時間の設定を代行する請求項１に記載の方法。
【請求項５】
前記少なくとも１つのＳＤの通信距離および干渉距離は、前記少なくとも１つのＡＤよりも短い請求項１に記載の方法。
【請求項６】
ＷＰＡＮ（無線パーソナルエリアネットワーク）システムであって、
前記ＷＰＡＮで動作する、ＡＤ（アドバンスデバイス）を用いた少なくとも１つのデバイスと、
前記ＷＰＡＮで動作する、ＳＤ（シンプルデバイス）による少なくとも１つのデバイスと
を備え、
前記少なくとも１つのＳＤは、前記少なくとも１つのＳＤの通信を制御し、かつ、前記ＷＰＡＮにおける通信および共存を可能とする前記少なくとも１つのＡＤをプロキシとして用いるシステム。
【請求項７】
前記少なくとも１つのＡＤは、インバンドＭＡＣ機能を実行する請求項６に記載のシステム。
【請求項８】
前記インバンドＭＡＣ機能は、デバイス検知および予約を含む請求項７に記載のシステム。
【請求項９】
前記少なくとも１つのＳＤは、ＡＤが存在することを必要とし、前記ＡＤは、前記少なくとも１つのＳＤが前記少なくとも１つのＡＤと通信するためのＷＰＡＮ、ビーコン、および予約時間の設定を代行する請求項６に記載のシステム。
【請求項１０】
前記少なくとも１つのＳＤの通信距離および干渉距離は、前記少なくとも１つのＡＤよりも短い請求項６に記載のシステム。
【請求項１１】
ＷＰＡＮ（無線パーソナルエリアネットワーク）でＳＤ（シンプルデバイス）として動作する第１送受信機を備え、
前記第１送受信機は、前記第１送受信機の通信を制御し、かつ、前記ＷＰＡＮにおける共存を可能にするプロキシとして、前記ＷＰＡＮでＡＤ（アドバンスデバイス）として動作する第２送受信機用いる装置。
【請求項１２】
前記第２送受信機は、インバンドＭＡＣ機能を実行する請求項１１に記載の装置。
【請求項１３】
前記インバンドＭＡＣ機能は、デバイス検知および予約を含む請求項１２に記載の装置。
【請求項１４】
前記第１送受信機は、前記第１送受信機が前記第２送受信機と通信するためのＷＰＡＮ、ビーコン、および予約時間の設定を代行する前記第２送受信機の存在を必要とする請求項１１に記載の装置。
【請求項１５】
前記第１送受信機の通信距離および干渉距離は、前記第２送受信機よりも短い請求項１１に記載の装置。
【発明の詳細な説明】
【背景技術】
【０００１】
現在、無線パーソナルエリアネットワーク（ＷＰＡＮ）における規格開発、例えばこれに限られないがＴＣ３２−ＴＧ２０−Ｈｉｇｈ  Ｒａｔｅ  Ｓｈｏｒｔ  Ｒａｎｇｅ  Ｗｉｒｅｌｅｓｓ  Ｃｏｍｍｕｎｉｃａｔｉｏｎ委員会において、議論されているデバイスには複数の種類がある。具体的には、１種類目のデバイスは「アドバンスデバイス（Ａｄｖａｎｃｅｄ  Ｄｅｖｉｃｅ）」（ＡＤ）と呼ばれ、長距離での動画ストリーミングおよび高アンテナゲインに重点を置き、複雑なＭＡＣ機能を有する。別の種類のデバイスは「シンプルデバイス（Ｓｉｍｐｌｅ  Ｄｅｖｉｃｅ）」（ＳＤ）と呼ばれ、単純な用途、最小限の信号処理機能、および最小限のＭＡＣ機能を目標としている。これらの２種類のデバイスが共存し、かつ介在可能であることは、相互干渉によって困難である。
【０００２】
従って、無線ＰＡＮにおいて複数のクラスのデバイスを動作させる技術へのニーズは非常に高い。
【図面の簡単な説明】
【０００３】
本発明の主題を具体的に説明し、明細書の終盤に明確に請求する。しかしながら、本発明の動作の構成および方法は、目的、特徴、および利点と共に、以下の詳細な説明を添付の図面と共に参照することによって、より良く理解され得る。図面は次の通りである。
【０００４】
【図１】本発明のある実施形態によるＳＤおよびＡＤの動作の一例を示す。
【０００５】
説明の簡易化および明確化を目的に、図中の要素の縮尺は必ずしも正確であるとは限らない。例えば、明確化を目的に、一部の要素の寸法は他の要素に比べ強調されている。さらに、複数の図面で同じ参照番号を適宜用いることで、対応および類似の要素であることを示す。
【発明を実施するための形態】
【０００６】
以下の詳細な説明では、本発明の十分な理解を促進すべく、様々な具体的な詳細を示す。しかしながら、本発明がこれらの具体的な詳細を用いることなく実施可能であることは、当業者にとって明らかである。また、発明を不明瞭にすることを避けるべく、一般的な方法、構成要素、および回路については詳述しない。
【０００７】
以下の詳細な説明では、本発明の十分な理解を促進すべく、様々な具体的な詳細を示す。しかしながら、本発明がこれらの具体的な詳細を用いることなく実施可能であることは、当業者にとって明らかである。また、発明を不明瞭にすることを避けるべく、一般的な方法、構成要素、ユニットおよび／または回路については詳述しない。
【０００８】
本発明の実施形態はこの点において限定されないが、例えば「処理」、「コンピューティング」、「計算」、「決定」、「確立」、「分析」、「確認」、またはその類似の用語を用いた議論は、コンピュータのレジスタおよび／またはメモリ内で物理的な（例えば、電子的な）数量として表現されたデータを、コンピュータのレジスタおよび／またはメモリ、もしくは動作および／またはプロセスを実行する命令を格納可能なその他の情報格納媒体内で同様に物理的な数量として表現されたデータへと操作および／または変換する、コンピュータ、コンピューティングプラットフォーム、コンピューティングシステム、またはその他のコンピューティングデバイスの動作および／またはプロセスを示してよい。
【０００９】
本発明の実施形態はこの点において限定されないが、ここで用いられる用語「複数」および「複数の」は、例えば「複数」または「２つ以上」を含み得る。明細書全体において、用語「複数」または「複数の」は、２つ以上の構成要素、デバイス、要素、ユニット、パラメータ、またはその類似を示すべく用いられてよい。例えば「複数の端末」は、２つ以上の端末を含んでよい。
【００１０】
本発明のある実施形態は、２つ以上のデバイスがＡＤをプロキシとして用いることで共存し、互いに通信してチャネル時間を予約する方法を提供する。この実施形態では、ＡＤおよびＳＤが、同じチャネルを共有していると仮定する。このチャネルは、典型的な実施形態においては通常周波数チャネルである。コストを低減すべく、ＳＤは、低ＥＩＲＰ（Ｅｑｕｉｖａｌｅｎｔ  Ｉｓｏｔｒｏｐｉｃ  Ｒａｄｉａｔｅｄ  Ｐｏｗｅｒ、等価等方輻射電力）または低送信電力のいずれかによって制限される。以下にそれぞれの種類のデバイスの特徴を示す。
【００１１】
シンプルデバイス（ＳＤ）：ポイントツーポイント、低電力、低価格、および最小限のＭＡＣ機能に重点を置く。例：電話、ＰＤＡ、ｉＰｏｄなど。
【００１２】
アドバンスデバイス（ＡＤ）：ＷＰＡＮ使用モデル、長距離、より良い空間再利用性、最大限のＭＡＣ機能に重点を置く。例：セットトップボックスからテレビ、ノートＰＣから周辺機器。
【００１３】
本発明のある実施形態は、ＡＤをプロキシとして用いてＳＤの通信を制御する。ＡＤとＳＤとの間の通信手順には、少なくともインバンドＭＡＣを実行してデバイスの検知および予約などを行うＡＤが含まれる。ＳＤは、ＳＤがＡＤと通信するためのＷＰＡＮ、ビーコン、および予約時間の設定を代行するＡＤの存在を必要とする。ＡＤに比べ、ＳＤの通信距離および干渉距離は短い。
【００１４】
図１の１００は、本発明のある実施形態による、ＳＤおよびＡＤの動作の一例を示す。図１は、チャネル予約およびＳＤとＡＤとの間の通信の成立を図示する。まず、デバイスＡおよびＢが、ビーコン期間に参加し、チャネル時間（すなわち分散予約プロトコルDRP）を交渉する。デバイスＡによるチャネルの予約が確認されると、デバイスＡはこの時間をＳＤとのプライベートな通信に用いる。ＡＤとＳＤとの間の通信プロトコルは、ＳＤのＰＨＹ波形を介した、ＷｉＦｉまたはＢｌｕｅｔｏｏｔｈ（登録商標）など、あらゆる既存のプロトコルであってよいが、本発明はこの点において限定されない。
【００１５】
図１が示す実施形態では、デバイスＡ１２０は、ＳＤ機能も有するＡＤである。デバイスＢ１４０はＡＤであり、デバイスＣ１１０はＳＤである。デバイスＡ１２０およびデバイスＢ１４０の両方がビーコン機能を提供する一方で、デバイスＣ１１０はこれを行わない。デバイスＡ１２０は、デバイスＣ１１０との全通信のための時間を予約する。上述の通り、この点において限定されないが、本発明のある実施形態では、デバイスＡとＣとの間の通信が、既存のプロトコルスタックを再利用してコストを低減するＷｉＦｉ（ＩＥＥＥ８０２．１１）またはＢｌｕｅｔｏｏｔｈ（登録商標）タイプのプロトコルであってよい。
【００１６】
以上に本発明の特定の特徴を図示して説明したが、当業者であれば多数の改良、代替、変更、および等価物を想到し得るであろう。従って、添付の特許請求の範囲が、本発明の真の趣旨の範囲内にあるそのような改良および変更の全てを網羅することを意図していることが理解されるべきである。
【図１】
2011509024.tif 000003
【国際調査報告】
2011509024.tif 000004
2011509024.tif 000005